(57)【特許請求の範囲】
【請求項１】
縦方向および横方向と、肌対向面および非肌対向面とを有し、
前ウエスト域、後ウエスト域、および前記前後ウエスト域の間において前記縦方向へ延びるクロッチ域とを有するシャーシと、前記クロッチ域から前記前後ウエスト域に前記縦方向に延びる吸収性コアと、前記前後ウエスト域どうしを互いに連結するファスニングシステムとを含む使い捨て着用物品において、
前記ファスニングシステムは、前記後ウエスト域の両側縁から前記横方向へ互いに離間するように延出する一対のテープファスナタブの前記肌対向面に設けられた第１ファスニング要素と、前記前ウエスト域の前記非肌対向面に設けられた第２ファスニング要素とから形成された第１ファスニングシステム、および前記一対の第１ファスニング要素と、前記前ウエスト域を折り返して使用する場合に前記第１ファスニング要素に係合する第３ファスニング要素とから形成された第２ファスニングシステムを含み、
前記吸収性コアには、体液を吸収する本体部と、前記前ウエスト域に配置したコア前端部と、前記本体部と前記コア前端部との間において前記横方向に延びる折曲案内部とを設けてあり、
前記折曲案内部には、収縮力が作用するように伸長状態で隣接するシートに取り付けた前記縦方向に延びる弾性部材を設けてあることを特徴とする前記着用物品。
【請求項２】
前記折曲案内部は、前記肌対向面から前記非肌対向面に向かう厚さ方向の寸法を、前記本体部よりも薄くすることによって形成した前記吸収性コアの一部である請求項１に記載の使い捨て着用物品。
【請求項３】
前記折曲案内部は、前記吸収性コアが実質的に存在しないことによって形成してある請求項１に記載の使い捨て着用物品。
【請求項４】
前記第３ファスニング要素は、前記前ウエスト域の前記肌対向面に設けてある請求項１〜３のいずれかに記載の使い捨て着用物品。
【請求項５】
前記第３ファスニング要素は、前記前ウエスト域の前記非肌対向面に設けてある請求項１〜３のいずれかに記載の使い捨て着用物品。
【請求項６】
前記弾性部材は、前記折曲案内部にのみ設けてある請求項１〜５のいずれかに記載の使い捨て着用物品。
【請求項７】
前記弾性部材は、前記折曲案内部から前記本体部および前記コア前端部に重なるまで前記縦方向に延出するように設けてある請求項１〜５のいずれかに記載の使い捨て着用物品。
【請求項８】
前記弾性部材は、その端部を前記本体部および前記コア前端部においてのみ隣接するシートに接合してあり、前記両端部の間を前記隣接するシートに非接合とする請求項７に記載の使い捨て着用物品。
【請求項９】
縦方向および横方向と、肌対向面および非肌対向面とを有し、
前ウエスト域、後ウエスト域、および前記前後ウエスト域の間において前記縦方向へ延びるクロッチ域とを有するシャーシと、前記クロッチ域から前記前後ウエスト域に前記縦方向に延びる吸収性コアと、前記前後ウエスト域どうしを互いに連結するファスニングシステムと、前記肌対向面に設けたバリヤシートおよび前記バリヤシートに収縮可能なように伸長状態で取り付けたバリヤ弾性部材を有し、着用状態において前記バリヤ弾性部材の収縮力によって起立するバリヤカフとを含む使い捨て着用物品において、
前記ファスニングシステムは、前記後ウエスト域の両側縁から前記横方向へ互いに離間するように延出する一対のテープファスナタブの前記肌対向面に設けられた第１ファスニング要素と、前記前ウエスト域の前記非肌対向面に設けられた第２ファスニング要素とから形成された第１ファスニングシステム、および前記一対の第１ファスニング要素と、前記前ウエスト域を折り返して使用する場合に前記第１ファスニング要素に係合して前記非肌対向面における前記第１ファスニング要素の下方に設けた第３ファスニング要素とから形成された第２ファスニングシステムとを含み、
前記吸収性コアには、体液を吸収する本体部と、前記前ウエスト域に配置したコア前端部と、前記本体部と前記コア前端部との間において前記横方向に延びる折曲案内部とを設けてあり、
前記バリヤ弾性部材は、展開状態において、前記折曲案内部に重なる態様で前記縦方向に延びるものであることを特徴とする前記着用物品。
【請求項１０】
前記バリヤシートは、透液性のトップシートに設けたものであり、
前記後ウエスト域において前記バリヤシートを前記トップシートに取り付ける後固定端部の前記縦方向の長さ寸法より、前記前ウエスト域において前記バリヤシートを前記トップシートに取り付ける前固定端部の前記縦方向の長さ寸法が短く、
前記前固定端部は、前記肌対向面から前記非肌対向面に向かう厚さ方向において、前記コア前端部に重なる一方、前記本体部には重ならない請求項９に記載の使い捨て着用物品。
【発明の詳細な説明】
【技術分野】
【０００１】
この発明は、使い捨て着用物品に関し、より詳しくは、新生児等の着用者を対象とするおむつ、排泄トレーニングパンツ、失禁ブリーフ等の使い捨て着用物品に関する。
【背景技術】
【０００２】
従来、例えば、新生児等の着用者を対象とする使い捨て着用物品は公知である。例えば、特許文献１には、透液性のトップシートと、不透液性のバックシートと、両シート間に介在した吸収性コアと、前ウエスト域および後ウエスト域を連結するファスニングシステムとを含む使い捨ておむつが開示されている。
【０００３】
特許文献１に開示された使い捨ておむつは、前ウエスト域において、おむつ本体（シャーシ）の横方向へ延び、例えば吸収性コアが存在しない部位を有することによって形成された折曲案内部を有している。
また、ファスニングシステムは、後ウエスト域において、互いに離間するようにおむつの外方に向かって延びるように形成された一対のテープファスナタブを有し、このテープファスナタブは、互いに係合する第１ファスニング要素と第２ファスニング要素とを備えている。
上記折曲案内部は、第１ファスニング要素と第２ファスニング要素を係合した状態において、テープファスナタブの上縁部に対応する位置に設けてある。
【０００４】
この使い捨ておむつでは、折曲案内部に沿って前ウエスト域を外側に折り返すことによって、着用者のへそを露出することができ、着用者の腹式呼吸が妨げられることはない。また、第１、第２ファスニング要素によって、該折り返し部位をおむつ本体に固定することができるため、着用者のへそを確実に露出することができる。
【先行技術文献】
【特許文献】
【０００５】
【特許文献１】特許第３３４３１９９号公報
【発明の概要】
【発明が解決しようとする課題】
【０００６】
テープファスナタブの上縁部の位置と、折曲案内部とが同一であるおむつにおいて、折り曲げ位置を誤ることはないものの、テープファスナタブの上縁部の位置と、折曲案内部とが異なるおむつにおいては、着用者や着用者の母親が、折曲案内部で前ウエスト域を折らずに、テープファスナタブの上縁部に沿って前ウエスト域を折り曲げてしまう問題があった。
おむつを誤った位置で折り曲げてしまうと、着用者の体におむつがフィットしない問題を発生し、吸収性コアの薄い部位ではなく厚い部位で折り曲げること、または吸収性コアが存在する部位で折り曲げることによって、折り曲げ部位の剛性が高くなり、それに起因して着用者の腹部に肌トラブルを発生させるおそれがある。
【０００７】
そこで、この発明では、折曲案内部に沿って前ウエスト域を確実に折り返すことのできる使い捨て着用物品の提供を課題にしている。
【課題を解決するための手段】
【０００８】
前記課題を解決するために、第１発明が対象とするのは、縦方向および横方向と、肌対向面および非肌対向面とを有し、前ウエスト域、後ウエスト域、および前記前後ウエスト域の間において前記縦方向へ延びるクロッチ域とを有するシャーシと、前記クロッチ域から前記前後ウエスト域に前記縦方向に延びる吸収性コアと、前記前後ウエスト域どうしを互いに連結するファスニングシステムとを含む使い捨て着用物品である。
【０００９】
かかる使い捨て着用物品において、第１発明の特徴は、前記ファスニングシステムは、前記後ウエスト域の両側縁から前記横方向へ互いに離間するように延出する一対のテープファスナタブの前記肌対向面に設けられた第１ファスニング要素と、前記前ウエスト域の前記非肌対向面に設けられた第２ファスニング要素とから形成された第１ファスニングシステム、および前記一対の第１ファスニング要素と、前記前ウエスト域を折り返して使用する場合に前記第１ファスニング要素に係合する第３ファスニング要素とから形成された第２ファスニングシステムとを含み、前記吸収性コアには、体液を吸収する本体部と、前記前ウエスト域に配置したコア前端部と、前記本体部と前記コア前端部との間において前記横方向に延びる折曲案内部とを設けてあり、前記折曲案内部には、収縮力が作用するように伸長状態で隣接するシートに取り付けた前記縦方向に延びる弾性部材を設けてあることである。
【００１０】
この発明の好ましい実施態様の一つにおいて、前記折曲案内部は、前記肌対向面から前記非肌対向面に向かう厚さ方向の寸法を、前記本体部よりも薄くすることによって形成した前記吸収性コアの一部である。
【００１１】
この発明の好ましい実施態様の他の一つにおいて、前記折曲案内部は、前記吸収性コアが実質的に存在しないことによって形成してある。
【００１２】
この発明の好ましい実施態様の他の一つにおいて、前記第３ファスニング要素は、前記前ウエスト域の前記肌対向面に設けてある。
【００１３】
この発明の好ましい実施態様の他の一つにおいて、前記第３ファスニング要素は、前記前ウエスト域の前記非肌対向面に設けてある。
【００１４】
この発明の好ましい実施態様の他の一つにおいて、前記弾性部材は、前記折曲案内部にのみ設けてある。
【００１５】
この発明の好ましい実施態様の他の一つにおいて、前記弾性部材は、前記折曲案内部から前記本体部および前記コア前端部にまで前記縦方向に延出するように設けてある。
【００１６】
この発明の好ましい実施態様の他の一つにおいて、前記弾性部材は、その端部を前記本体部および前記コア前端部においてのみ隣接するシートに接合してあり、前記両端部の間を前記隣接するシートと非接合とする。
【００１７】
前記課題を解決するために、第２発明が対象とするのは、縦方向および横方向と、肌対向面および非肌対向面とを有し、前ウエスト域、後ウエスト域、および前記前後ウエスト域の間において前記縦方向へ延びるクロッチ域とを有するシャーシと、前記クロッチ域から前記前後ウエスト域に前記縦方向に延びる吸収性コアと、前記前後ウエスト域どうしを互いに連結するファスニングシステムと、前記肌対向面に設けたバリヤシートおよび前記バリヤシートに収縮可能なように伸長状態で取り付けたバリヤ弾性部材を有し、着用状態において前記バリヤ弾性部材の収縮力によって起立するバリヤカフとを含む使い捨て着用物品である。
【００１８】
かかる使い捨て着用物品において、第２発明の特徴は、前記ファスニングシステムは、前記後ウエスト域の両側縁から前記横方向へ互いに離間するように延出する一対のテープファスナタブの前記肌対向面に設けられた第１ファスニング要素と、前記前ウエスト域の前記非肌対向面に設けられた第２ファスニング要素とから形成された第１ファスニングシステム、および前記一対の第１ファスニング要素と、前記前ウエスト域を折り返して使用する場合に前記第１ファスニング要素に係合して前記非肌対向面における前記第１ファスニング要素の下方に設けた第３ファスニング要素とから形成された第２ファスニングシステムとを含み、前記吸収性コアには、体液を吸収する本体部と、前記前ウエスト域に配置したコア前端部と、前記本体部と前記コア前端部との間において前記横方向に延びる折曲案内部とを設けてあり、前記バリヤ弾性部材は、展開状態において、前記折曲案内部に重なる態様で前記縦方向に延びるものである。
【００１９】
この発明の好ましい実施態様の一つにおいて、前記バリヤシートは、透液性のトップシートに設けたものであり、前記後ウエスト域において前記バリヤシートを前記トップシートに取り付ける後固定端部の前記縦方向の長さ寸法より、前記前ウエスト域において前記バリヤシートを前記トップシートに取り付ける前固定端部の前記縦方向の長さ寸法が短く、前記前固定端部は、前記厚さ方向において、前記コア前端部に重なる一方、前記本体部には重ならない。
【発明の効果】
【００２０】
この第１発明に係る使い捨て着用物品によれば、折曲案内部には、収縮力が作用するように伸長状態で隣接するシートに取り付けた縦方向に延びる弾性部材を設けてあるため、この弾性部材の収縮力によって、本体部に対してコア前端部を起立させることができる。よって、予め折曲案内部の存在位置を明確にすることができるため、折曲案内部に沿って前ウエスト域を確実に折り返すことのできる使い捨て着用物品を提供することができる。
【００２１】
この第２発明に係る使い捨て着用物品によれば、バリヤ弾性部材は、展開状態において、折曲案内部に重なる態様で前記縦方向に延びるものであるため、バリヤ弾性部材の収縮力によって、本体部に対してコア前端部を起立させることができる。よって、予め折曲案内部の存在位置を明確にすることができるため、折曲案内部に沿って前ウエスト域を確実に折り返すことのできる使い捨て着用物品を提供することができる。
【図面の簡単な説明】
【００２２】
【図１】本発明の第１実施形態における使い捨て着用物品の一例として示す使い捨ておむつの斜視図。
【図２】おむつを展開した状態において、肌対向面から見た一部破断展開平面図。
【図３】図１のＩＩＩ−ＩＩＩ線断面図。
【図４】図２のＩＶで示す二点鎖線で囲んだ領域の拡大図。
【図５】おむつの第２使用態様を示す斜視図。
【図６】図５のＶＩ−ＶＩ線断面図。
【図７】おむつの着用前の状態を示す断面図。
【図８】図７の要部断面図。
【図９】第１変形例のおむつにおける図１と同様の斜視図。
【図１０】第１変形例のおむつにおける図２と同様の一部破断展開平面図。
【図１１】図９のＸＩ−ＸＩ線断面図。
【図１２】第１変形例のおむつの第２使用態様を示す斜視図。
【図１３】図１２のＸＩＩＩ−ＸＩＩＩ線断面図。
【図１４】第１変形例のおむつの着用前の状態を示す断面図。
【図１５】図１４の要部断面図。
【図１６】第２変形例のおむつの要部を示す図。
【図１７】図１６のＸＶＩＩ−ＸＶＩＩ線断面図。
【図１８】第２変形例のおむつの着用前の状態を示す図８と同様の断面図。
【図１９】第２変形例のおむつの着用後の状態を示す断面図。
【図２０】本発明の第２実施形態のおむつにおける図２と同様の一部破断展開平面図。
【図２１】第２実施形態のおむつの要部を示す図。
【図２２】第２実施形態のおむつの着用前の状態を示す断面図。
【発明を実施するための形態】
【００２３】
以下、この発明の使い捨て着用物品として、例えば使い捨ておむつ（以下、単に「おむつ」と省略する）を例に挙げて説明する。
図１〜８は、本発明の第１実施形態におけるおむつを示す図面であり、図１は、おむつ１０の斜視図であり、図２は、おむつ１０を展開した状態において、肌対向面側から見た一部破断展開平面図であり、図３は、図１のＩＩＩ−ＩＩＩ線断面図である。
図中、Ｘは、横方向を示し、Ｙは、横方向Ｘに直交する縦方向を示し、Ｚは、横方向Ｘおよび縦方向Ｙにそれぞれ直交する前後方向を示している。
おむつ１０は、図１に示すように、肌対向面側および肌対向面の反対側である非肌対向面側と、図２に示すように、縦方向Ｙに沿って延びておむつ１０を横方向Ｘに二等分する縦軸Ｐ、および横方向Ｘに沿って延びておむつ１０を縦方向Ｙに二等分する横軸Ｑとを有している。
おむつ１０は、また、前ウエスト域１２と、後ウエスト域１３と、前記ウエスト域１２、１３の間において縦方向へＹ延びるクロッチ域１４とを有するシャーシ１１を備えている。
【００２４】
シャーシ１１は、図２に示すように、透液性のトップシート２０と、不透液性のバックシート２１と、後記する吸収性コア２２とを含んでいる。
トップシート２０は、繊維不織布、多孔プラスチックフィルム、それらのラミネートシート等から形成され、シャーシ１１の肌対向面側に配置してある。
トップシート２０は、単位面積当たりの質量が１５〜５０ｇ／ｍ２、好ましくは、２０〜３５ｇ／ｍ２の範囲である、エアースルー繊維不織布やスパンボンド繊維不織布等から形成してある。
【００２５】
バックシート２１は、シャーシ１１の外形をなすものであり、透湿性プラスチックフィルム、繊維不織布、それらのラミネートシート等から形成され、シャーシ１１の非肌対向面側に配置してある。
バックシート２１は、単位面積当たりの質量が１０〜４０ｇ／ｍ２、好ましくは、１５〜３５ｇ／ｍ２の範囲である、スパンボンド不織布、ポイントボンド不織布、ＳＭＳ不織布等から形成してある。
トップシート２０とバックシート２１とは、吸収性コア２２の周縁部から延出し、該延出部位における両シート２０、２１のうちの少なくとも一方の内面に塗布されたホットメルト接着剤（図示せず）を介して互いに接合してある。
【００２６】
トップシート２０とバックシート２１との間には、図２および図３に示すように、不透液性かつ透湿性のプラスチックフィルムから形成された防漏シート２９が配置してある。また、シャーシ１１の肌対向面において、吸収性コア２２の横方向Ｘの外方には、縦軸Ｐに関して対称の一対のバリヤシート３０、３１がトップシート２０に取り付けてある。
【００２７】
シャーシ１１は、図２に示すように、上端部および下端部において、それぞれ横方向Ｘに延びる前後端部３２、３３を有している。また、シャーシ１１は、クロッチ域１４の横方向Ｘにおいて、縦方向Ｙに延びる両側部３４、３５を有している。
前後端部３２、３３は、吸収性コア２２のコア前後端部から縦方向Ｙの外方へ延出する、トップシート２０と、防漏シート２９と、バックシート２１と、バリヤシート３０、３１とを互いに重ね合わせることによって形成してある。
両側部３４、３５は、吸収性コア２２のコア両側縁から横方向Ｘの外方へ延出する、トップシート２０と、防漏シート２９と、バックシート２１と、バリヤシート３０、３１とを互いに重ね合わせることによって形成してある。
バックシート２１とバリヤシート３０、３１とには、前後ウエスト域１２、１３において、横方向Ｘの外方へ延出して互いに重なり合う前後方側部フラップ３９、４０を形成してある。前後方側部フラップ３９、４０は、横方向Ｘに両側縁１２ａ、１２ｂ、１３ａ、１３ｂをそれぞれ有している。
【００２８】
おむつ１０は、また、前ウエスト域１２の両側縁１２ａ、１２ｂと、後ウエスト域１３の両側縁１３ａ、１３ｂとを連結するファスニングシステムを備えている。
ファスニングシステムは、第１ファスニング要素１７と第２ファスニング要素１８とから形成される第１ファスニングシステムと、第１ファスニング要素と第３ファスニング要素とから形成される第２ファスニングシステムとを含んでいる。
第１ファスニングシステムは、図１、３に示すように、前ウエスト域１２を折り返さずに使用する第１使用態様（通常の使用態様）の際に用いるものである。一方、第２ファスニングシステムは、図５、６に示すように、前ウエスト域１２を折り返して使用する第２使用態様の際に用いるものである。
【００２９】
第１ファスニング要素１７は、図２に示すように、一対のテープファスナタブ１５、１６の肌対向面に向かってそれぞれ設けられ、メカニカルファスナのフック群から形成されている。
一対のテープファスナタブ１５、１６は、後方側部フラップ４０の両側縁１３ａ、１３ｂから横方向Ｙに沿って互いに離間するように延びる態様で後ウエスト域１３に設けてある。
第２ファスニング要素１８は、図１〜３に示すように、第１ファスニング要素１７を係脱可能に止着するものであって、ホットメルト接着剤（図示せず）を介して前ウエスト域１２の非肌対向面側に横方向Ｘへ延びるように設けた、いわゆるターゲットテープまたはランディングテープである。
おむつ１０は、着用時において、一対のテープファスナタブ１５、１６の第１ファスニング要素１７と、前ウエスト域１２の非肌対向面に位置する第２ファスニング要素１８とを係合することによって、前後ウエスト域１２、１３の両側縁１２ａ、１２ｂ、１３ａ、１３ｂどうしが連結され、ウエスト開口３７および一対のレッグ開口３８が画成される（図１参照）。
【００３０】
後方側部フラップ４０を形成するバックシート２１と、バリヤシート３０、３１との間には、一対のテープファスナタブ１５、１６の固定部１５ａ、１６ａを介在させ、両シート２１、３０、３１の内面に塗布したホットメルト接着剤（図示せず）によって固定部１５ａ、１６ａを両シート２１、３０、３１に固定してある。
また、第１ファスニング要素１７は、後ウエスト域１３の側縁１３ａ、１３ｂから縦軸Ｐに関して横方向Ｘの外方へ離間するように延びるテープファスナタブ１５、１６の自由部１５ｂ、１６ｂの肌対向面に設けてある。
【００３１】
第１ファスニングシステムにおいて、第１ファスニング要素１７をフック群に換えて接着剤を塗布することによって形成してもよい。この場合には、第１ファスニング要素１７を保護するため、第１ファスニング要素１７の表面をセパレータで被覆することが好ましい。セパレータは、例えば、シリコンの塗布によって形成する。
【００３２】
図４は、図２のＩＶで示す領域の拡大図である。図示するように、第１ファスニング要素１７を係脱可能に止着する第３ファスニング要素４５を前ウエスト域１２の肌対向面に形成してある。第３ファスニング要素４５は、トップシート２０の肌対向面に形成した複数本の第１凹状ライン４３および第２凹状ライン４４によって形成してある。第１凹状ライン４３および第２凹状ライン４４は、横方向Ｘおよび縦方向Ｙに対して斜めに延びて、互いに交差することで格子状をなすように形成してある。これらのライン４３、４４は、例えば、エンボス加工によって構成してある。第３ファスニング要素４５は、後記するコア前端部２２ｂの対向縁部２４ａから、前端部３２まで縦方向Ｙに延びるようにトップシート２０の肌対向面に形成してある。図示例の第１凹状ライン４３と第２凹状ライン４４との交差角度は約９０度であり、これらのライン４３、４４が交差することによって形成される各格子部４７の大きさ（面積）は、約３５．０〜１４５．０ｍｍ２である。なお、第３ファスニング要素４５は、ライン４３、４４を設けるものに限られず、通常のトップシート２０、例えばスパンボンド繊維不織布から形成したトップシート２０でもよい。
【００３３】
再び、図２を参照すると、バリヤシート３０、３１は、両側部３４、３５の一部を形成する近位縁部５４と、前後ウエスト域１２、１３においてトップシート２０とバックシート２１とに固定された前後固定端部５５、５６と、前後固定端部５５、５６間において縦方向Ｙに延びる遠位縁部５７とを有する。遠位縁部５７は、バリヤシート３０、３１の横方向Ｘの内側縁を折り返すことによって形成してある。
【００３４】
防漏シート２９の横方向Ｘの両側縁の外方には、縦方向Ｙに延びる３条のストランド状またはストリング状のレッグ弾性部材５８が収縮可能なように伸長状態で設けてある。レッグ弾性部材５８は、バリヤシート３０、３１と、バックシート２１との間において、ホットメルト接着剤（図示せず）を介して収縮可能なように伸長状態で取り付けてある。図示例のおむつ１０は、横方向Ｘにおいて、レッグ弾性部材５８と吸収性コア２２の側縁との離間寸法Ｌｃが約２５ｍｍである。レッグ弾性部材５８は、好ましくは約４５０〜９４０ｄｔｅｘの範囲のものを使用するのが好ましく、図示例のレッグ弾性部材５８は、約４７０ｄｔｅｘのものを使用してある。
遠位縁部５７には、縦方向Ｙに延びる２条のストランド状またはストリング状のバリヤ弾性部材５９が収縮可能なように伸長状態で設けてある。バリヤ弾性部材５９は、折り返したバリヤシート３０、３１の間において、ホットメルト接着剤（図示せず）を介して収縮可能なように伸長状態で取り付けてある。遠位縁部５７には、おむつ１０の着用状態において、バリヤ弾性部材５９の収縮力によってバリヤシート３０、３１がトップシート２０の肌対向面から離間し、尿等の体液が横方向Ｘに漏れることを防止するための一対のバリヤカフ６５が形成される（図３参照）。
【００３５】
吸収性コア２２は、フラップパルプと超吸水性ポリマー粒子との混合等から形成され、トップシート２０とバックシート２１との間に介在させてある。吸収性コア２２の横方向Ｙの寸法は、例えば約１００ｍｍである。なお、吸収性コア２２は、不図示のティッシュペーパー等の拡散シートによって被包してもよい。
吸収性コア２２は、クロッチ域１４から前後ウエスト域１２、１３に縦方向Ｙに延び、主として尿等の体液を吸収する本体部２２ａと、前ウエスト域１２にのみ設けたコア前端部２２ｂとを備えている。また、この吸収性コア２２は、本体部２２ａとコア前端部２２ｂとの間において横方向Ｙに延びる折曲案内部２４とを備えている。
【００３６】
折曲案内部２４は、シャーシ１１を展開した状態（図２参照）において、肌対向面から非肌対向面までの厚さを、本体部２２ａおよびコア前端部２２ｂに比して薄くすることによって形成された凹状の溝である。換言すれば、この折曲案内部２４は、本体部２２ａとコア前端部２２ｂとの間を縦方向Ｙに連結し、肌対向面から非肌対向面に向かう厚さ方向の寸法を、本体部２２ａよりも薄くすることによって形成した吸収性コア２２の一部である。図１〜８に示す折曲案内部２４は、肌対向面側に溝が形成され、肌対向面が凹んでいる。
折曲案内部２４は、例えば、吸収性コア２２の一部を取り除くことによって形成してある。吸収性コア２２の一部を取り除くことによって折曲案内部２４を形成した場合、当該部位の剛性が本体部２２ａおよびコア前端部２２ｂの剛性に比して低下するため、折り曲げが容易となる。
本体部２２ａおよびコア前端部２２ｂの両対向縁部２４ａ、２４ｂは、横方向Ｘにおいて、縦軸Ｐの近傍が互いに最も近接する一方、縦軸Ｐから横方向Ｙに離間するに従って徐々に相互の距離が大きくなる曲状に形成してあるため、対向縁部２４ａ、２４ｂがトップシート２０を介して着用者の肌に当接しても、肌に与える刺激を減少することができる。
図１〜８に示す例では、図２に示す前ウエスト域１２の縦方向の寸法Ｌｄが約７０．０〜９０．０ｍｍの場合において、折曲案内部２４の縦軸Ｐにおける両対向縁部２４ａ、２４ｂの離間寸法Ｌａ（図４参照）は、好ましくは約２．０〜１０．０ｍｍ、より好ましくは約５．０〜１０．０ｍｍである。また、折曲案内部２４の横方向Ｙの両側縁における両対向縁部２４ａ、２４ｂの離間寸法Ｌｂ（図４参照）は、例えば約１０ｍｍ以上であることが好ましく、より好ましくは約２５ｍｍ以上であることが好ましい。さらに、この例において、コア前端部２２ｂの縦方向Ｙの寸法Ｌｅ（図４参照）は、好ましくは約２０．０〜５０．０ｍｍである。
【００３７】
折曲案内部２４は、肌対向面から非肌対向面における厚さ方向において、シャーシ１１の非肌対向面に位置する第２ファスニング要素１８の下側縁１８ａと重なる位置に形成してある（図２参照）。
また、前ウエスト域１２の非肌対向面には、おむつ１０の非肌対向面側から折曲案内部２４の位置を確認することができる折曲案内表示部２８を形成してある（図１参照）。折曲案内表示部２８は、上記厚さ方向において、非肌対向面において、折曲案内部２４に対応するよう配置してある。折曲案内表示部２８は、着用者および着用補助者が折曲案内部２４の位置を容易に視認することができるように、第２ファスニング要素１８とは異なる色彩をバックシート２１に付すことによって形成してもよいし、テープ片を貼り付けることによって形成してもよい。
【００３８】
図２、４に示すように、前ウエスト域１２には、折曲案内弾性部材（弾性部材）６０を設けてある。折曲案内弾性部材６０は、縦軸Ｐの横方向Ｘの両側において、縦軸Ｐに平行で縦方向Ｙに延びる態様であって、溝である折曲案内部２４にのみ設けてある。より詳細には、溝である折曲案内部２４の横方向Ｘの側縁に沿って設けてある。図示する折曲案内弾性部材６０は、上記厚さ方向における防漏シート２９とバックシート２１との間において、ホットメルト接着剤（図示せず）を介して収縮可能なように伸長状態で取り付けてある（図８参照）。換言すれば、折曲案内弾性部材６０は、上記厚さ方向において、吸収性コア２２よりも非肌対向面側に設けてある。図示する折曲案内弾性部材６０は、約６２０ｄｔｅｘのストリング状のものを２本用いてあり、約１．８倍に伸長させることによって、収縮力が作用するようにシート２１、２９の少なくとも一方に取り付けてある。
【００３９】
図５は、おむつ１０の第２使用態様を示す図であり、図６は、図５のＶＩ−ＶＩ線断面図である。
【００４０】
図５に示すように、このおむつ１０は、前ウエスト域１２を折曲案内部２４に沿って非肌対向面側に向かって折り曲げてから、第３ファスニング要素４５に第１ファスニング要素１７を係止し、第２ファスニングシステムを使用することによって、前ウエスト域１２をクロッチ域１４の非肌対向面に折り重ねた状態でも着用することができる。この場合には、着用者の腹部が露出するため、着用者が未熟児を含む新生児の場合、前ウエスト域１２による締め付けによってその複式呼吸が妨げられることはない。特に、新生児の場合には、へそおよびその周辺が十分に成熟しておらず、前ウエスト域１２によるわずかな締め付けによっても刺激を与えるおそれがあるが、このおむつ１０では、かかる事態を避けることができる。
加えて、へその下方において、第１ファスニング要素１７が第３ファスニング要素４５に係合されているため、たとえ前ウエスト域１２が着用者の腹部に当接していなくても、下腹部において安定的におむつ１０を着用者の身体に固定させることができるとともに、着用中に前ウエスト域１２の折曲状態が解かれることはない。
【００４１】
図７は、おむつ１０を不図示のパッケージに入れるために折りたたまれていた状態から解放された後における断面図であり、図８は、折曲案内弾性部材６０の作用を説明する図である。
かかるおむつ１０では、折曲案内弾性部材６０の収縮力によって、パッケージからおむつ１０を取り出せば、図７、８に示すように、本体部２２ａに対してコア前端部２２ｂを非肌対向面側に起立させることができる。よって、着用する前に折曲案内部２４が視認できるように前ウエスト域１２が折れ曲がる。換言すれば、着用する前に折曲案内部２４において簡易的に折り目を付けることができるため、折曲案内部２４に沿って前ウエスト域１２を確実に折り曲げることができる。しかも、折曲案内部２４を設ける位置は、第２ファスニング要素１８の位置に合わせる必要がない。
また、折曲案内部２４は、本体部２２ａとコア前端部２２ｂとの間を縦方向Ｙに連結し、肌対向面から非肌対向面に向かう厚さ方向の寸法が、吸収性コア２２の一部を本体部２２ａよりも薄くすることによって形成してあるため、本体部２２ａおよびコア前端部２２ｂのいずれか一方の部位の位置を決定すれば、別の一方の部位の位置も決まるため、位置決めが煩雑になることを防止することができる。
さらに、折曲案内弾性部材６０は、上記厚さ方向において、吸収性コア２２よりも非肌対向面側に設けてあるため、前ウエスト域１２を非肌対向面側に向けて折り曲げる場合、吸収性コア２２が邪魔になることを抑えることができる。
【００４２】
図９は、第１実施形態の第１変形例のおむつ１０Ａの斜視図であり、図１０は、そのおむつ１０Ａを展開した状態において、肌対向面から見た一部破断展開平面図であり、図１１は、図９のＸＩ−ＸＩ線断面図であり、図１２は、おむつ１０Ａの第２使用態様を示す図であり、図１３は、図１２のＸＩＩＩ−ＸＩＩＩ線断面図である。
この第１変形例のおむつ１０Ａにおいて、上述したおむつ１０と同一の構成を有するものには同一の符号を付して説明を省略する。
【００４３】
このおむつ１０Ａは、第１ファスニング要素１７にそれぞれ係合する第２ファスニング要素１８Ａと、第３ファスニング要素４５Ａとを前ウエスト域１２の非肌対向面に設けてある。第３ファスニング要素４５Ａは、第２ファスニング要素１８Ａの下方に配置してある。
第２ファスニング要素１８Ａおよび第３ファスニング要素４５Ａは、前ウエスト域１２の非肌対向面において横方向Ｘへ延びる略細長矩形状の繊維不織布シートであって、その表面上には、上記ライン４３、４４と同様のライン４３Ａ、４４Ａをそれぞれ形成してある。これらのライン４３Ａ、４４Ａも例えばエンボス加工を行なうことによって構成してある。なお、第３ファスニング要素４５Ａは、ライン４３Ａ、４４Ａを設けるものに限られず、通常のトップシート２０、例えばスパンボンド繊維不織布から形成したトップシート２０でもよい。
【００４４】
折曲案内部２４Ａは、第２ファスニング要素１８Ａと、第３ファスニング要素４５Ａとの間に形成してある。この折曲案内部２４Ａは、シャーシ１１を展開した状態（図１０参照）において、肌対向面から非肌対向面までの厚さ方向の寸法を、本体部２２ａおよびコア前端部２２ｂに比して薄くすることによって形成された凹状の溝である。図９〜１３に示す折曲案内部２４Ａは、非肌対向面側に溝が形成され、非肌対向面が凹んでいる（図１１参照）。
【００４５】
折曲案内表示部２８Ａは、シャーシ１１における非肌対向面において、第２ファスニング要素１８Ａと第３ファスニング要素４５Ａとの間に形成してある。
【００４６】
折曲案内弾性部材６０Ａは、縦軸Ｐの横方向Ｘの両側において、縦方向Ｙに延びる態様であって、溝である折曲案内部２４Ａにのみ設けてある。図示する折曲案内弾性部材６０Ａは、上記厚さ方向における吸収性コア２２とトップシート２０との間において、ホットメルト接着剤（図示せず）を介して伸縮可能なように伸長状態で取り付けてある（図１５参照）。換言すれば、折曲案内弾性部材６０Ａは、厚さ方向において吸収性コア２２よりも肌対向面側に設けてある点が、上記弾性部材６０と異なり、他の点は同じである。
【００４７】
図１４は、おむつ１０Ａを不図示のパッケージに入れるために折りたたまれていた状態から解放された後における断面図であり、図１５は、折曲案内弾性部材６０Ａの作用を説明する図である。
かかるおむつ１０Ａでは、折曲案内弾性部材６０Ａの収縮力によって、パッケージからおむつ１０Ａを取り出せば、図１４、１５に示すように、折曲案内弾性部材６０Ａの収縮力によって、本体部２２ａに対してコア前端部２２ｂを肌対向面側に起立させることができる。よって、着用する前に折曲案内部２４Ａが視認できるように前ウエスト域１２が折れ曲がる。換言すれば、着用する前に折曲案内部２４Ａにおいて簡易的に折り目を付けることができるため、折曲案内部２４Ａに沿って前ウエスト域１２を確実に折り曲げることができる。
また、折曲案内弾性部材６０Ａは、上記厚さ方向において、吸収性コア２２よりも肌対向面側に設けてあるため、前ウエスト域１２を肌対向面側に向けて折り曲げる場合、吸収性コア２２が邪魔になることを抑えることができる。
【００４８】
図１６は、第１実施形態の第２変形例のおむつ１０Ｂを展開した状態において、その要部を肌対向面から見た一部破断展開平面図である。
この第２変形例のおむつ１０Ｂにおいて、上述したおむつ１０と同一の構成を有するものには同一の符号を付して説明を省略する。
【００４９】
このおむつ１０Ｂの折曲案内弾性部材６０Ｂは、折曲案内部２４のみならず、本体部２２ａの対向縁部２４ｂおよびコア前端部２２ｂの対向縁部２４ａを超えるように縦方向Ｙに延びている。
この折曲案内弾性部材６０Ｂの上端部６１ａは、ホットメルト接着剤（不図示）を直接塗布することによって、防漏シート２９またはバックシート２１の少なくとも一方に取り付けてある。
折曲案内弾性部材６０Ｂの下端部６１ｂは、ホットメルト接着剤（不図示）を直接塗布することによって、防漏シート２９またはバックシート２１の少なくとも一方に取り付けてある。
縦方向Ｙにおける上端部６１ａと下端部６１ｂとの間の中間部（両端部６１ａ、６１の間）６１ｃは、ホットメルト接着剤を塗布することはなく、防漏シート２９、バックシート２１のいずれに対しても接着していない。
図示例の折曲案内弾性部材６０Ｂは、縦軸Ｐの両側に２本ずつ設けてあり、縦方向Ｙの長さが約４５ｍｍであり、上端部６１ａの縦方向Ｙの長さが約１５ｍｍであり、下端部６１ｂの縦方向Ｙの長さが約１５ｍｍであり、中間部６１ｃの縦方向Ｙの長さが約２５ｍｍである。また、折曲案内弾性部材６０Ｂは、約６２０ｄｔｅｘのストリング状のものを縦軸Ｐの両側に２本ずつ設けてあり、約２．１倍に伸長させることによって、単位長さ当たり約０．０４ｇ／ｍのホットメルト接着剤６２を直接塗布することによって、収縮力が作用するように例えば、上下端部６１ａ、６１ｂにおいてバックシート２１に取り付けてある。縦軸Ｐの一方の側において、折曲案内弾性部材６０Ｂの離間寸法は、例えば約３ｍｍである。
【００５０】
図１７は、図１６のＸＶＩＩ−ＸＶＩＩ線断面図である。図示するように、トップシート２０と吸収性コア２２との間には、これらを接着するためのホットメルト接着剤７０を設けてある。吸収性コア２２と防漏シート２９との間には、これらを接着するためのホットメルト接着剤７１を設けてある。防漏シート２９とバックシート２１の間には、これらを接着するためのホットメルト接着剤７２を設けてある。
【００５１】
図示例のおむつ１０Ｂでは、レッグ弾性部材５８Ａは、トップシート２０と、防漏シート２９との間において、ホットメルト接着剤７０、７１の少なくともいずれか一方を介して収縮可能なように伸長状態でいずれか一方のシート２０、２９に取り付けてある点のみが上述したおむつ１０と異なり、他の点は同一である。
【００５２】
また、折曲案内弾性部材６０Ｂは、バックシート２１と、防漏シート２９との間において、折曲案内弾性部材６０Ｂに直接塗布した接着剤によって、いずれか一方のシート２１、２９に取り付けてある。図示例のおむつ１０Ｂでは、折曲案内弾性部材６０Ｂは、バックシート２１に取り付けてある。
すなわち、このおむつ１０Ｂは、おむつ１０に比して、上記厚さ方向において、レッグ弾性部材５８Ａと折曲案内弾性部材６０Ｂとの位置を変え、かつ、挟持しているシートが異なっている。
【００５３】
図１８は、折曲案内弾性部材６０Ｂの作用を説明する図である。
かかるおむつ１０Ｂでは、折曲案内弾性部材６０Ｂの収縮力によって、パッケージからおむつ１０Ｂを取り出せば、図１８に示すように、本体部２２ａに対してコア前端部２２ｂを非肌対向面側に起立させることができる。よって、着用する前に折曲案内部２４が視認できるように前ウエスト域１２が折れ曲がる。換言すれば、着用する前に折曲案内部２４において簡易的に折り目を付けることができるため、折曲案内部２４に沿って前ウエスト域１２を確実に折り曲げることができる。また、折曲案内弾性部材６０Ｂの中間部６１ｃは、隣接するシート２１、２９と非接合としてあるため、中間部６１ｃにおいて折曲案内弾性部材６０Ｂのみ収縮するが、隣接するシート２１、２９が中間部６１ｃに引っ張られることがない。
【００５４】
図１９は、おむつ１０Ｂの前ウエスト域１２を非肌対向面に向けて折り曲げた状態を示す図である。図示するように、折曲案内弾性部材６０Ｂは、上端部６１ａと下端部６１ｂとが厚さ方向に接近することで、中間部６１ｃにおいて、弛んだ状態となっており、収縮力が作用していない。
前ウエスト域１２を非肌対向面に向けて折り曲げ、吸収性コア２２よりも非肌対向面側に折曲案内弾性部材６０Ｂを配置し、折曲案内弾性部材６０Ｂの上下端部６１ａ、６１ｂのみをシート２１、２９に取り付ける一方、中間部６１ｃをシート２１、２９に非接着とするため、折曲案内弾性部材６０Ｂは縮んだ状態となり、収縮力が作用しない。よって、前ウエスト域１２を折り曲げた状態で着用しても、着用した状態では、折曲案内弾性部材６０Ｂの収縮力が作用することを防止して、おむつ１０Ｂが身体からずれることを防止することができる。しかも、着用者がおむつ１０Ｂを装着する時において、折曲部位端部６３が折曲案内弾性部材６０Ｂの収縮力により引っ張られて湾曲状になってしまう事を防止することができ、折曲部位端部６３が相互に浮き上がることなしに折曲部位端部６３が横軸Ｑとほぼ並行に延びることができるため、予め設定した状態で装着することができる。よって、着用者が装着した状態において、おむつ１０Ｂがずれることを確実に防止することができる。
加えて、厚さ方向において、レッグ弾性部材５８Ａと折曲案内弾性部材６０Ｂとの位置を変え、かつ、不図示のホットメルト接着剤によって取り付けるシートを変えているため、弾性部材５８Ａ、６０Ｂを取り付けるシートに起因して発生する浮き上がりを抑えることができる。なお、折曲案内部２４は、非肌対向面に設けてもよい。
【００５５】
なお、この発明は、上述した第１実施形態に限られず、種々の変更を行なうことができる。
例えば、図１〜１９に示す例では、折曲案内部２４、２４Ａにおける吸収性コア２２の肌対向面から非肌対向面への厚さ方向の寸法を本体部２２ａの厚さ方向の寸法よりも薄いもので説明した。しかし、この発明はそれに限られず、折曲案内部２４、２４Ａは、折曲案内部２４、２４Ａに相当する部位の吸収性コア２２を予め設けないこと、および吸収性コア２２の一部を取り除くことによって、吸収性コア２２が実質的に存在しないように形成してもよい。吸収性コア２２が実質的に存在しないように折曲案内部２４、２４Ａを形成すれば、吸収性コア２２が存在しない部位の剛性を低下することができるため、剛性の相違を明確にすることができる。よって、折曲案内弾性部材６０、６０Ａ、６０Ｂの収縮力を一定に仮定した場合、折曲案内部２４、２４Ａにおける簡易的な折り目を大きくすることができる。
【００５６】
図２０は、第２実施形態のおむつ１０Ｃを展開した状態において、肌対向面から見た一部破断展開平面図である。図２１は、この発明にかかるおむつ１０Ｃの要部を示す図である。
このおむつ１０Ｃにおいて、上述したおむつ１０と同一の構成を有するものには同一の符号を付して説明を省略する。
【００５７】
図示例のおむつ１０Ｃにおいて、縦方向Ｙにおける前ウエスト域１２の長さ寸法１２Ｌは約６０ｍｍであり、縦方向Ｙにおける後ウエスト域１３の長さ寸法１３Ｌは約６０ｍｍであり、縦方向Ｙにおけるクロッチ域１４の長さ寸法１４Ｌは約２４０ｍｍである。
【００５８】
このおむつ１０Ｃのバリヤ弾性部材５９Ｃの下端部Ｃ１は、縦方向Ｙにおいて、本体部２２ａの対向縁部２４ｂを超えて下方へ延び、かつ溝である折曲案内部２４の内部においてさらに下方へ延び、コア前端部２２ｂの対向縁部２４ａにまで到達する。換言すれば、このバリヤ弾性部材５９Ｃは、展開状態において、折曲案内部２４に重なる態様で縦方向Ｙに延びるものである。
このバリヤ弾性部材５９Ｃは、その収縮力を作用させることによって、本体部２２ａに対してコア前端部２２ｂを起立させる弾性部材として機能する。
【００５９】
バリヤ弾性部材５９Ｃは、約４７０ｄｔｅｘのストリング状のものを縦軸Ｐの両側にそれぞれ２本ずつ設けてあり、約２．４倍に伸長させることによって、収縮力が作用するようにバリヤシート３０、３１に取り付けてある。
【００６０】
後ウエスト域１３において、バリヤシート３０、３１をトップシート２０に取り付ける後固定端部５６は、通常のおむつと同様であって、縦方向Ｙの長さ寸法５６Ｌは６０ｍｍである。
一方、前ウエスト域１２において、バリヤシート３０、３１をトップシート２０に取り付ける前固定端部５５Ｃは、上記厚さ方向において、コア前端部２２ｂに重なるように配置してあり、かつ折曲案内部２４および本体部２２ａに重ならないように配置してある。また、この前固定端部５５Ｃは、通常のおむつに比して短くしてあって、縦方向Ｙの長さ寸法５５Ｌは４０ｍｍである。
【００６１】
図２２は、おむつ１０Ｃの着用前の状態を示す図である。図示するように、かかるおむつ１０Ｃでは、バリヤ弾性部材５９Ｃの収縮力によってバリヤシート３０、３１がトップシート２０の肌対向面から離間し、尿等の体液の横漏れを防ぐためのバリヤカフ６５が形成される。このとき、バリヤ弾性部材５９Ｃの収縮力によって、パッケージからおむつ１０Ｃを取り出せば、本体部２２ａに対してコア前端部２２ｂを肌対向面側に起立させることができる。よって、着用する前に折曲案内部２４が視認できるように前ウエスト域１２が肌対向面側に折れ曲がる。換言すれば、着用する前に折曲案内部２４において簡易的に折り目を付けることができるため、折曲案内部２４に沿って前ウエスト域１２を確実に折り曲げることができる。
しかも、バリヤ弾性部材５９Ｃは、バリヤカフ６５を形成するための機能と、簡易的な折り目を形成するため機能とを有するため、上記機能を有する弾性部材を個別に設ける必要がなく、構成を簡単にすることができる。
加えて、縦方向Ｙにおいて後固定端部５６の長さ寸法５５Ｌより前固定端部５５Ｃの長さ寸法が短いため、簡易的な折り目を大きくすることができる。
なお、この発明は、上述した第２実施形態に限られず、種々の変更を行なうことができる。例えば、第１実施形態と同様の変形を行なうことができる。
【符号の説明】
【００６２】
１０、１０Ａ、１０Ｂ、１０Ｃ    おむつ（使い捨て着用物品）
１１    シャーシ
１２    前ウエスト域
１３    後ウエスト域
１４    クロッチ域
１５、１６    テープファスナタブ
１７    第１ファスニング要素
１８    第２ファスニング要素
２０    トップシート
２２    吸収性コア
２２ａ  本体部
２２ｂ  コア前端部
２４、２４Ａ    折曲案内部
３０    バリヤシート
３１    バリヤシート
４５    第３ファスニング要素
５５Ｃ  前固定端部
５６    後固定端部
５９Ｃ  バリヤ弾性部材
６０、６０Ａ、６０Ｂ    折曲案内弾性部材（弾性部材）
６５    バリヤカフ
Ｘ      横方向
Ｙ      縦方向
【図１】
0005602568.tif 000002
【図２】
0005602568.tif 000003
【図３】
0005602568.tif 000004
【図４】
0005602568.tif 000005
【図５】
0005602568.tif 000006
【図６】
0005602568.tif 000007
【図７】
0005602568.tif 000008
【図８】
0005602568.tif 000009
【図９】
0005602568.tif 000010
【図１０】
0005602568.tif 000011
【図１１】
0005602568.tif 000012
【図１２】
0005602568.tif 000013
【図１３】
0005602568.tif 000014
【図１４】
0005602568.tif 000015
【図１５】
0005602568.tif 000016
【図１６】
0005602568.tif 000017
【図１７】
0005602568.tif 000018
【図１８】
0005602568.tif 000019
【図１９】
0005602568.tif 000020
【図２０】
0005602568.tif 000021
【図２１】
0005602568.tif 000022
【図２２】
0005602568.tif 000023